(57)【要約】【課題】バックライトユニット及びそれを用いたディスプレイ装置を提供すること。【解決手段】第１のリフレクタと、一部に傾斜面を有する第２のリフレクタと、第１及び第２のリフレクタの間に配置された少なくとも１つの光源モジュールと、第２のリフレクタに配置された少なくとも１つの反射構造物とを備えてバックライトユニット及びそれを用いたディスプレイ装置を構成する。【選択図】図１Ａ
2013026211.tif 000002
【特許請求の範囲】
【請求項１】
第１のリフレクタと、
一部に傾斜面を有する第２のリフレクタと、
前記第１及び第２のリフレクタの間に配置された少なくとも１つの光源モジュールと、
前記第２のリフレクタに配置された少なくとも１つの反射構造物と
を備えるバックライトユニット。
【請求項２】
前記第２のリフレクタの傾斜面は前記第１のリフレクタの表面に対して一定角度だけ傾斜した面を有する、請求項１に記載のバックライトユニット。
【請求項３】
前記傾斜面は凹面、凸面、平面のうちの少なくとも１つである、請求項１又は２に記載のバックライトユニット。
【請求項４】
前記第２のリフレクタは少なくとも１つの平面をさらに有し、前記第２のリフレクタの平面は前記第１のリフレクタと平行な面であり、前記反射構造物は、前記第２のリフレクタの傾斜面及び平面のうちの少なくとも１つの面に配置された、請求項１乃至３のうちのいずれかに記載のバックライトユニット。
【請求項５】
前記第２のリフレクタから一定間隔だけ空間を置いて配置された光学部材をさらに備え、前記第２のリフレクタと前記光学部材との間の空間にはエアガイドが形成されている、請求項１乃至４のいずれかに記載のバックライトユニット。
【請求項６】
前記反射構造物は、前記第１のリフレクタから水平に延長される水平延長線と第２のリフレクタとの間に位置する、請求項１乃至５のいずれかに記載のバックライトユニット。
【請求項７】
前記反射構造物は、
光を反射させる反射部と、
前記反射部を支持する支持部と
を備える、請求項１乃至５のいずれかに記載のバックライトユニット。
【請求項８】
前記反射部は前記光源モジュールと同一線上に位置する、請求項７に記載のバックライトユニット。
【請求項９】
前記反射部は、前記光源モジュールと同一方向に配列されるストライプ状又はドット状である、請求項７に記載のバックライトユニット。
【請求項１０】
前記反射部は複数の突起又は複数の溝を有する、請求項７に記載のバックライトユニット。
【請求項１１】
前記互いに隣接する複数の突起又は溝は並んで配列されている、請求項１０に記載のバックライトユニット。
【請求項１２】
前記互いに隣接する複数の突起又は溝は交互に配列される、請求項10に記載のバックライトユニット。
【請求項１３】
前記反射部は、
コアと、
前記コアの全体又は一部を取り囲む反射層と
を備える、請求項７に記載のバックライトユニット。
【請求項１４】
前記反射層は同一の反射率を有する一つの反射物質からなる、請求項１３に記載のバックライトユニット。
【請求項１５】
前記反射層は互いに異なる反射率を有する複数の反射物質からなる、請求項１３に記載のバックライトユニット。
【請求項１６】
前記反射層は、前記コアの表面から突出したり、又は前記コアの表面内に挿入される、請求項１５に記載のバックライトユニット。
【請求項１７】
前記支持部は下部が上部より大きい厚さを有する、請求項７に記載のバックライトユニット。
【請求項１８】
前記支持部の最大幅は、前記反射部の最大幅と同一であるか、又は前記反射部の最大幅より大きい、請求項７に記載のバックライトユニット。
【請求項１９】
前記支持部の最大高さは、前記反射部の最大高さと同一であるか、又は前記反射部の最大高さより大きい、請求項７に記載のバックライトユニット。
【請求項２０】
前記反射部と支持部は結合部材によって結合されている、請求項７に記載のバックライトユニット。
【請求項２１】
前記結合部材は、前記支持部の上部面に付着されて前記反射部の下部面を支持する板状、前記支持部の上部面に付着されて前記反射部の周囲を取り囲むリング状、前記支持部の上部面に付着されて前記反射部の溝内に挿入される突出形状のうちのいずれか１つである、請求項２０に記載のバックライトユニット。
【請求項２２】
前記反射部と支持部は１対１の比率で対応して配置されたり、又は１対複数の比率で対応して配置されている、請求項７に記載のバックライトユニット。
【請求項２３】
前記反射構造物は前記光学部材から第１の間隔だけ離隔して配置されている、請求項５に記載のバックライトユニット。
【請求項２４】
前記第１の間隔は前記第１のリフレクタの厚さより大きい、請求項６に記載のバックライトユニット。
【請求項２５】
ディスプレイパネルと、
前記ディスプレイパネルに光を照射するバックライトユニットと
を備え、
前記バックライトユニットは、請求項１乃至５のいずれかに記載のバックライトユニットである、ディスプレイ装置。
【発明の詳細な説明】
【技術分野】
【０００１】
本発明の実施例は、バックライトユニット及びそれを用いたディスプレイ装置に関する。
【背景技術】
【０００２】
一般に、代表的な大型ディスプレイ装置としては、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）などがある。
【０００３】
自発光方式のＰＤＰとは異なって、ＬＣＤには、自体的な発光素子の不在のため別途のバックライトユニットが必ず必要である。
【０００４】
ＬＣＤに使用されるバックライトユニットは、光源の位置によってエッジ（ｅｄｇｅ）方式のバックライトユニットと直下方式のバックライトユニットに区分されるが、エッジ方式では、ＬＣＤパネルの左右側面又は上下側面に光源を配置し、導光板を用いて光を全面に均一に分散させるので、光の均一性が良く、パネル厚さの超薄型化が可能である。
【０００５】
直下方式は、通常２０インチ以上のディスプレイに使用される技術であって、パネルの下部に複数の光源を配置するので、エッジ方式に比べて光効率に優れるという長所を有し、高輝度を要求する大型ディスプレイに主に使用される。
【０００６】
既存のエッジ方式や直下方式のバックライトユニットの光源としては、ＣＣＦＬ（Ｃｏｌｄ  Ｃａｔｈｏｄｅ  Ｆｌｕｏｒｅｓｃｅｎｔ  Ｌａｍｐ）を用いた。
【０００７】
しかし、ＣＣＦＬを用いたバックライトユニットでは、常にＣＣＦＬに電源が印加されるので、相当量の電力消耗をもたらし、ＣＲＴに比べて約７０％水準の色再現率、水銀の添加による環境汚染問題などが短所として指摘されている。
【０００８】
前記問題を解消するための代替品として、現在、ＬＥＤ（Ｌｉｇｈｔ  Ｅｍｉｔｔｉｎｇ  ｄｉｏｄｅ）を用いたバックライトユニットに対する研究が活発に行われている。
【０００９】
ＬＥＤをバックライトユニットに使用する場合、ＬＥＤアレイの部分的なオン／オフが可能であり、消耗電力を画期的に減少させることができ、ＲＧＢ  ＬＥＤの場合、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）色再現範囲仕様の１００％を上回り、より生々しい画質を消費者に提供することができる。
【発明の概要】
【発明が解決しようとする課題】
【００１０】
本発明の実施例は、導光板なしに反射構造物を用いて、エアガイドを有するバックライトユニット及びそれを用いたディスプレイ装置を提供しようとする。
【課題を解決するための手段】
【００１１】
本発明の一実施例は、第１のリフレクタと、一部に傾斜面を有する第２のリフレクタと、第１及び第２のリフレクタの間に配置された少なくとも１つの光源モジュールと、第２のリフレクタに配置された少なくとも１つの反射構造物とを備えることができる。
【００１２】
ここで、第２のリフレクタの傾斜面は、第１のリフレクタの表面に対して一定角度だけ傾斜した面であり、傾斜面は、凹面、凸面、平面のうちの少なくとも１つであり得る。
【００１３】
そして、第２のリフレクタの傾斜面は第１のリフレクタと重畳することができる。
【００１４】
そして、第２のリフレクタは、少なくとも１つの傾斜面と、少なくとも１つの平面とを有し、第２のリフレクタの平面は第１のリフレクタと平行な面であり、反射構造物は、第２のリフレクタの傾斜面及び平面のうちの少なくとも一面に配置することができる。
【００１５】
また、本発明の一実施例は、第２のリフレクタから一定間隔だけ空間を置いて配置された光学部材をさらに備え、第２のリフレクタと光学部材との間の空間にはエアガイドを形成することができる。
【００１６】
ここで、反射構造物は光学部材から第１の間隔だけ離隔して配置できるが、第１の間隔は第１のリフレクタの厚さより大きくなり得る。
【００１７】
そして、反射構造物は、第１のリフレクタから水平に延長される水平延長線と第２のリフレクタとの間に位置し得る。
【００１８】
そして、反射構造物は、光を反射させる反射部と、反射部を支持する支持部とを備えるが、反射部は光源モジュールと同一線上に位置し得る。
【００１９】
そして、反射部は、光源モジュールと同一方向に配列されるストライプ状又はドット状であり、反射部は複数の突起又は複数の溝を有することができる。
【００２０】
ここで、互いに隣接する複数の突起又は溝は、並んで配列したり、又は交互に配列することができる。
【００２１】
そして、反射部は、コアと、コアの全体又は一部を取り囲む反射層とを備えることができる。
【００２２】
ここで、反射層は、同一の反射率を有する１つの反射物質又は互いに異なる反射率を有する複数の反射物質からなることもでき、反射層は、コアの表面から突出したり、又はコアの表面内に挿入することもできる。
【００２３】
そして、支持部は、下部が上部より大きい厚さを有し、支持部の最大幅は、反射部の最大幅と同一であるか、又は反射部の最大幅より大きくなり得る。
【００２４】
そして、支持部の最大高さは、反射部の最大高さと同一であるか、又は反射部の最大高さより大きくなり得る。
【００２５】
そして、反射部と支持部は結合部材によって結合されるが、結合部材は、支持部の上部面に付着されて反射部の下部面を支持する板状、支持部の上部面に付着されて反射部の周囲を取り囲むリング状、支持部の上部面に付着されて反射部の溝内に挿入される突出形状のうちのいずれか１つであり得る。
【００２６】
そして、反射部と支持部は接着剤によって付着することもできる。
【００２７】
また、反射部と支持部は、１対１の比率で対応して配置したり、又は１対多の比率で対応して配置することができる。
【発明の効果】
【００２８】
本発明の一実施例によると、導光板なしに反射構造物を用いて、エアガイドを有するバックライトユニット及びそれを用いたディスプレイ装置を提供することができる。
【図面の簡単な説明】
【００２９】
【図１Ａ】本発明の一実施例に係るバックライトユニットを説明するための図である。
【図１Ｂ】本発明の一実施例に係るバックライトユニットを説明するための図である。
【図１Ｃ】本発明の一実施例に係るバックライトユニットを説明するための図である。
【図２Ａ】傾斜面と平面を有する第２のリフレクタ上に配置された反射構造物を示す図である。
【図２Ｂ】傾斜面と平面を有する第２のリフレクタ上に配置された反射構造物を示す図である。
【図２Ｃ】傾斜面と平面を有する第２のリフレクタ上に配置された反射構造物を示す図である。
【図３Ａ】複数の傾斜面を有する第２のリフレクタ上に配置された反射構造物を示す図である。
【図３Ｂ】複数の傾斜面を有する第２のリフレクタ上に配置された反射構造物を示す図である。
【図３Ｃ】複数の傾斜面を有する第２のリフレクタ上に配置された反射構造物を示す図である。
【図４Ａ】ストライプ状を有する反射構造物を示す斜視図である。
【図４Ｂ】第２のリフレクタに配置された反射構造物を示す平面図である。
【図５Ａ】ドット状を有する反射構造物を示す斜視図である。
【図５Ｂ】第２のリフレクタに配置された反射構造物を示す平面図である。
【図６Ａ】反射構造物の反射部の形状を示す図である。
【図６Ｂ】反射構造物の反射部の形状を示す図である。
【図６Ｃ】反射構造物の反射部の形状を示す図である。
【図６Ｄ】反射構造物の反射部の形状を示す図である。
【図６Ｅ】反射構造物の反射部の形状を示す図である。
【図６Ｆ】反射構造物の反射部の形状を示す図である。
【図７Ａ】複数の微細突起を有する反射部を示す図である。
【図７Ｂ】複数の微細突起を有する反射部を示す図である。
【図８Ａ】複数の微細溝を有する反射部を示す図である。
【図８Ｂ】複数の微細溝を有する反射部を示す図である。
【図９Ａ】反射層が形成された反射部を示す断面図である。
【図９Ｂ】反射層が形成された反射部を示す断面図である。
【図９Ｃ】反射層が形成された反射部を示す断面図である。
【図９Ｄ】反射層が形成された反射部を示す断面図である。
【図１０Ａ】反射部と支持部を結合する結合部材を示す図である。
【図１０Ｂ】反射部と支持部を結合する結合部材を示す図である。
【図１０Ｃ】反射部と支持部を結合する結合部材を示す図である。
【図１０Ｄ】反射部と支持部を結合する結合部材を示す図である。
【図１１】反射構造物の反射部と支持部の幅と高さを比較した図である。
【図１２】１エッジタイプの第２のリフレクタに配置された反射構造物を示す図である。
【図１３】２エッジタイプの第２のリフレクタに配置された反射構造物を示す図である。
【図１４】４エッジタイプの第２のリフレクタに配置された反射構造物を示す図である。
【図１５】４エッジタイプの第２のリフレクタに配置された反射構造物を示す図である。
【図１６】光学部材を備えるバックライトユニットを示す図である。
【図１７】支持フレームによって支持される光学部材を示す図である。
【図１８】本発明の一実施例に係るバックライトユニットを有するディスプレイモジュールを示す図である。
【図１９】本発明の一実施例に係るディスプレイ装置を示す図である。
【図２０】本発明の一実施例に係るディスプレイ装置を示す図である。
【発明を実施するための形態】
【００３０】
以下、各実施例を添付の図面を参照して説明する。
【００３１】
本発明の実施例の説明において、各構成要素の「上又は下」に形成されると記載される場合において、上又は下は、二つの構成要素が互いに直接接触したり、一つ以上の他の構成要素が前記二つの構成要素の間に配置されて形成されることを全て含む。
【００３２】
また、「上又は下」と表現される場合、一つの構成要素を基準にして上側方向のみならず、下側方向の意味も含むことができる。
【００３３】
図１Ａ〜図１Ｃは、本発明の一実施例に係るバックライトユニットを説明するための図であって、図１Ａは断面図で、図１Ｂは平面図で、図１Ｃは上面斜視図である。
【００３４】
図１Ａ〜図１Ｃに示すように、バックライトユニットは、少なくとも一つの光源１１０及び基板１２０を有する光源モジュール１００と、第１のリフレクタ２００と、第２のリフレクタ３００と、反射部４１０及び支持部４２０を有する反射構造物４００とを備えることができる。
【００３５】
ここで、光源モジュール１００は、第１のリフレクタ２００と第２のリフレクタ３００との間に位置し、第１のリフレクタ２００又は第２のリフレクタ３００に隣接するように配置することができる。
【００３６】
場合に応じて、光源モジュール１００は、第１のリフレクタ２００に接触すると同時に第２のリフレクタ３００から一定間隔だけ離隔するように配置したり、又は、第２のリフレクタ３００に接触すると同時に第１のリフレクタ２００から一定間隔だけ離隔するように配置することができる。
【００３７】
また、光源モジュール１００は、第１のリフレクタ２００と第２のリフレクタ３００から一定間隔だけ離隔するように配置したり、又は、第１のリフレクタ２００と第２のリフレクタ３００に同時に接触することもできる。
【００３８】
そして、光源モジュール１００は、電極パターンを有する基板１２０と、光を生成する光源１１０とを備えることができる。
【００３９】
このとき、基板１２０には、少なくとも１つの光源１１０を実装することができ、電源を供給するアダプタと光源１１０を連結するための電極パターンを形成することができる。
【００４０】
このような基板１２０は、ポリエチレンテレフタレート（ＰＥＴ）、ガラス、ポリカーボネート（ＰＣ）又はシリコン（Ｓｉ）などからなり、複数の光源１００が実装されるＰＣＢ（Ｐｒｉｎｔｅｄ  Ｃｉｒｃｕｉｔ  Ｂｏａｒｄ）基板であり、フィルム状に形成することができる。
【００４１】
また、基板１２０としては、単層ＰＣＢ、多層ＰＣＢ、セラミック基板、メタルコアＰＣＢなどを選択的に使用することができる。
【００４２】
一方、光源１１０は、発光ダイオードチップであり、発光ダイオードチップは、ブルーＬＥＤチップ又は紫外線ＬＥＤチップで構成したり、又は、レッドＬＥＤチップ、グリーンＬＥＤチップ、ブルーＬＥＤチップ、イエローグリーンＬＥＤチップ及びホワイトＬＥＤチップのうちの少なくとも１つ又はそれ以上を組み合わせたパッケージ形態で構成することもできる。
【００４３】
そして、ホワイトＬＥＤは、ブルーＬＥＤ上にイエローリン光（Ｙｅｌｌｏｗ  ｐｈｏｓｐｈｏｒ）を結合したり、ブルーＬＥＤ上にレッドリン光（Ｒｅｄ  ｐｈｏｓｐｈｏｒ）とグリーンリン光（Ｇｒｅｅｎ  ｐｈｏｓｐｈｏｒ）を同時に使用して具現することができ、ブルーＬＥＤ上にイエローリン光（Ｙｅｌｌｏｗ  ｐｈｏｓｐｈｏｒ）、レッドリン光（Ｒｅｄ  ｐｈｏｓｐｈｏｒ）及びグリーンリン光（Ｇｒｅｅｎ  ｐｈｏｓｐｈｏｒ）を同時に使用して具現することもできる。
【００４４】
また、光源１１０は、上面発光型（ｔｏｐ  ｖｉｅｗ  ｔｙｐｅ）発光ダイオードであってもよく、場合に応じては、側面発光型（ｓｉｄｅ  ｖｉｅｗ  ｔｙｐｅ）発光ダイオードであってもよい。
【００４５】
そして、第１のリフレクタ２００と第２のリフレクタ３００との間の空間にエアガイドを備えるように、第１のリフレクタ２００と第２のリフレクタ３００は一定間隔だけ離隔して互いに対向することができる。
【００４６】
そして、第１のリフレクタ２００は、反射コーティングフィルム及び反射コーティング物質層のうちのいずれか１つで形成され、光源モジュール１００から生成された光を第２のリフレクタ３００の方向に反射させる役割をすることができる。
【００４７】
また、第１のリフレクタ２００の表面のうち光源モジュール１００と対向する表面上には鋸歯状の反射パターンが形成され、反射パターンの表面は平面又は曲面であり得る。
【００４８】
第１のリフレクタ２００の表面に反射パターンを形成する理由は、光源モジュール１００で生成された光を第２のリフレクタ３００の中央領域に反射させることによって、バックライトユニットの中央領域の輝度を増加させるためである。
【００４９】
そして、第２のリフレクタ３００は、一部に傾斜面を有することができ、アルミニウム（Ａｌ）、銀（Ａｇ）、金（Ａｕ）、二酸化チタン（ＴｉＯ２）などのように高い反射率を有する金属又は金属酸化物を含んで構成することができる。
【００５０】
そして、第２のリフレクタ３００の傾斜面は、光源モジュール１００及び第１のリフレクタ２００のうちの少なくとも１つと重畳し得る。
【００５１】
ここで、第２のリフレクタ３００の傾斜面は、第１のリフレクタ２００の表面に対して一定角度だけ傾斜した面であり、傾斜面は、凹面、凸面及び平面のうちの少なくとも１つであり得る。
【００５２】
場合に応じて、第２のリフレクタ３００は、少なくとも１つの傾斜面及び少なくとも１つの平面を有することができるが、第２のリフレクタ３００の平面は第１のリフレクタ２００と平行な面であり得る。また、反射構造物４００は、第２のリフレクタ３００の傾斜面及び平面のうちの少なくとも１つの面に配置することができる。
【００５３】
また、第２のリフレクタ３００は、少なくとも１つの変曲点を有する少なくとも２個の傾斜面を有し、変曲点を中心に隣接する第１及び第２の傾斜面の曲率は互いに異なり得る。また、反射構造物４００は、第２のリフレクタ３００の第１及び第２の傾斜面のうちの少なくとも１つの面に配置することができる。
【００５４】
ここで、反射構造物４００は、第２のリフレクタ３００に１つ又は複数配置できるが、第２のリフレクタ３００の全体表面のうち傾斜面上又は平面上に配置することができ、場合に応じては、傾斜面と平面上に全て配置することもできる。
【００５５】
そして、反射構造物４００は、反射部４１０及び支持部４２０を備えることができるが、反射部４１０は光を反射させる役割をすることができ、支持部４２０は反射部４１０を支持する役割をすることができる。
【００５６】
このとき、反射部４１０は、光源モジュール１００と同一線上に位置することができる。
【００５７】
そして、反射部４１０は、光源モジュール１００と同一方向に配列されるストライプ状又はドット状であり得る。
【００５８】
そして、反射部４１０は、反射物質がコーティングされた反射体であってもよいが、場合に応じて、光繊維、ＣＣＦＬ（Ｃｏｌｄ  Ｃａｔｈｏｄｅ  Ｆｌｕｏｒｅｓｃｅｎｔ  Ｌａｍｐ：冷陰極蛍光ランプ）などであってもよい。
【００５９】
そして、支持部４２０の表面に反射物質をコーティングすることもできる。
【００６０】
このように、反射構造物４００は、第２のリフレクタ３００の全体領域のうち輝度が相対的に低い領域に配置することによって、光を反射させ、低い輝度を補償することができる。
【００６１】
図２Ａ〜図２Ｃは、傾斜面と平面を有する第２のリフレクタ上に配置された反射構造物を示す図である。
【００６２】
図２Ａでは第２のリフレクタ３００の傾斜面が平らな表面を有し、図２Ｂでは第２のリフレクタ３００の傾斜面が凹状の曲面を有し、図２Ｃでは第２のリフレクタ３００の傾斜面が凸状の曲面を有することができる。
【００６３】
ここで、第２のリフレクタ３００の第１の領域３００ａは傾斜面で、第２の領域３００ｂは傾斜面及び平面を含み、第３の領域３００ｃは平面であり得る。
【００６４】
そして、反射構造物４００は、第２のリフレクタ３００の第２及び第３の領域３００ｂ、３００ｃのうちの少なくとも１ヶ所に配置することができる。
【００６５】
図３Ａ〜図３Ｃは、複数の傾斜面を有する第２のリフレクタ上に配置された反射構造物を示す図である。
【００６６】
図３Ａでは、互いに隣接する２つの傾斜面が平らな表面を有し、図３Ｂでは、互いに隣接する２つの傾斜面が凹状の曲面を有し、２つの傾斜面の曲率は互いに異なり得る。また、図３Ｃでは、互いに隣接する２つの傾斜面が凸状の曲面を有し、２つの傾斜面の曲率は互いに異なり得る。
【００６７】
図３Ａ〜図３Ｃに示すように、第２のリフレクタ３００は、光源モジュール１００に隣接した第１の領域３００ａ、光源モジュール１００から離隔した第３の領域３００ｃ、及び第１の領域３００ａと第３の領域３００ｃとの間に位置する第２の領域３００ｂを有することができる。
【００６８】
ここで、第２のリフレクタ３００の第１の領域３００ａは傾斜面で、第２の領域３００ｂは傾斜面及び平面を有し、第３の領域３００ｃは平面であり得る。
【００６９】
そして、反射構造物４００は、第２のリフレクタ３００の第２及び第３の領域３００ｂ、３００ｃのうちの少なくとも１ヶ所に配置することができる。
【００７０】
このように、反射構造物４００は、第２のリフレクタ３００の全体領域のうち輝度が相対的に低い第２及び第３の領域３００ｂ、３００ｃに配置することによって、光を反射及び拡散させ、低い輝度を補償することができる。
【００７１】
図４Ａは、ストライプ状を有する反射構造物を示す斜視図で、図４Ｂは、第２のリフレクタに配置された反射構造物を示す平面図である。
【００７２】
図４Ａ及び図４Ｂに示すように、ストライプ状の反射構造物４００は、反射部４１０及び支持部４２０を有しているが、反射部４１０は、反射物質がコーティングされた反射体、光繊維、又はＣＣＦＬ（Ｃｏｌｄ  Ｃａｔｈｏｄｅ  Ｆｌｕｏｒｅｓｃｅｎｔ  Ｌａｍｐ：冷陰極蛍光ランプ）などのような光源であってもよい。
【００７３】
ここで、反射部４１０はストライプ状であって、１つの反射部４１０を光源モジュール１００と同一方向に平行に配列することができる。
【００７４】
そして、支持部４２０は、反射部４１０の下部に複数配置され、反射部４１０を支持することができる。
【００７５】
ここで、支持部４２０は、表面に反射物質がコーティングされることによって、光を反射させることもできる。
【００７６】
図５Ａは、ドット状を有する反射構造物を示す斜視図で、図５Ｂは、第２のリフレクタに配置された反射構造物を示す平面図である。
【００７７】
図５Ａ及び図５Ｂに示すように、ドット状の反射構造物４００は、反射部４１０及び支持部４２０を有しているが、反射部４１０は反射物質がコーティングされた反射体であり得る。
【００７８】
ここで、反射部４１０はドット状であって、複数の反射部４１０を光源モジュール１００と同一方向に並んで配列することができる。
【００７９】
そして、１つの支持部４２０は、１つの反射部４１０の下部に１対１で対応するように配置され、反射部４１０を支持することができる。
【００８０】
ここで、支持部４２０は、表面に反射物質がコーティングされることによって、光を反射させることもできる。
【００８１】
このように、反射部４１０と支持部４２０は、図５Ａに示すように、１対１の比率で対応して配置したり、又は、図４Ａのように、１対複数の比率で対応して配置することができる。
【００８２】
図６Ａ〜図６Ｆは反射構造物の反射部の形状を示す図である。
【００８３】
まず、図６Ａに示すように、支持部４２０によって支持される反射部４１０は、断面が円状であってもよく、場合に応じて楕円状であってもよい。
【００８４】
そして、図６Ｂに示すように、反射部４１０の安定感のために、反射部４１０の断面は、下部面が平らで、上部面が丸い半円状であってもよい。
【００８５】
そして、図６Ｃに示すように、特定方向に光を反射させるために、反射部４１０の断面は、三角形状であってもよく、場合に応じて逆三角形状であってもよい。
【００８６】
次に、図６Ｄ、図６Ｅ、図６Ｆに示すように、反射部４１０の断面は多角形状であってもよい。
【００８７】
ここで、多角形状は、正方形状、長方形状、台形状、菱形状を含むこともでき、４個以上の角を有する多角形状を含むこともできる。
【００８８】
図７Ａ及び図７Ｂは、複数の微細突起を有する反射部を示す図である。
【００８９】
図７Ａに示すように、反射構造物の反射部４１０の表面には複数の微細突起４１２を形成することができる。
【００９０】
ここで、複数の微細突起４１２は反射部４１０の表面全体に配置できるが、互いに隣接する各微細突起４１２は、一定間隔だけ離隔するように配置することができ、一列に並んで配列することもできる。
【００９１】
場合に応じては、図７Ｂに示すように、複数の微細突起４１２は、反射部４１０の表面全体に配置できるが、互いに隣接する各微細突起４１２は、一定間隔だけ離隔するように配置することができ、交互に配列することもできる。
【００９２】
ここで、各微細突起４１２は、反射物質がコーティングされた反射体であって、光を反射及び拡散させることによって、均一な輝度を提供することができる。
【００９３】
図８Ａ及び図８Ｂは、複数の微細溝を有する反射部を示す図である。
【００９４】
図８Ａに示すように、反射構造物の反射部４１０の表面には複数の微細溝４１４を形成することができる。
【００９５】
ここで、複数の微細溝４１４は反射部４１０の表面全体に配置できるが、互いに隣接する各微細溝４１４は、一定間隔だけ離隔するように配置することができ、一列に並んで配列することもできる。
【００９６】
場合に応じては、図８Ｂに示すように、複数の微細溝４１４は反射部４１０の表面全体に配置できるが、互いに隣接する各微細溝４１４は、一定間隔だけ離隔するように配置することができ、交互に配列することもできる。
【００９７】
ここで、各微細溝４１４は、反射物質がコーティングされた反射体であって、光を反射及び拡散させることによって、均一な輝度を提供することができる。
【００９８】
図９Ａ〜図９Ｄは、反射層が形成された反射部を示す断面図であって、図９Ａ及び図９Ｂは、反射部の全体表面にコーティングされた反射層を示す図で、図９Ｃ及び図９Ｄは、反射部の一部表面にコーティングされた反射層を示す図である。
【００９９】
図９Ａ〜図９Ｄに示すように、反射部４１０は、コア４１０ａと、コア４１０ａの全体表面又は一部表面を取り囲む反射層４１０ｂとを備えることができる。
【０１００】
ここで、コア４１０ａは、射出可能なプラスチックなどの高分子樹脂を用いて製作することができる。
【０１０１】
そして、反射層４１０ｂは、フィルム状に製作された反射コーティングフィルムであってもよく、反射物質が蒸着された反射コーティング物質層であってもよい。
【０１０２】
また、反射層４１０ｂは、金属又は金属酸化物のうちの少なくとも１つを含むことができ、例えば、アルミニウム（Ａｌ）、銀（Ａｇ）、金（Ａｕ）又は二酸化チタン（ＴｉＯ２）のように高い反射率を有する金属又は金属酸化物を含んで構成することができる。
【０１０３】
この場合、反射層４１０ｂは、金属又は金属酸化物を高分子樹脂であるコア４１０ａ上に蒸着又はコーティングして形成することができ、金属インクを印刷して形成することもできる。
【０１０４】
ここで、蒸着方法としては、熱蒸着法、蒸発法又はスパッタリング法などの真空蒸着法を使用することができ、コーティング又は印刷方法としては、プリンティング法、グラビアコーティング法又はシルクスクリーン法を使用することができる。
【０１０５】
また、反射層４１０ｂは、フィルム又はシート状に製作し、高分子樹脂のコア４１０ａ上に接着剤で接着することもできる。
【０１０６】
このように、反射部４１０は、図９Ａに示すように、コア４１０ａと、コア４１０ａの全体表面を取り囲む単一の反射層４１０ｂとを備えることができるので、反射部４１０は全体的に同一の反射率を有することができる。
【０１０７】
そして、反射部４１０は、図９Ｂに示すように、コア４１０ａと、コア４１０ａの全体表面を取り囲む複数の反射層４１０ｂ１、４１０ｂ２、４１０ｂ３、４１０ｂ４、４１０ｂ５を備えることができるので、反射部４１０は複数の反射率を有することもできる。
【０１０８】
また、反射部４１０は、図９Ｃに示すように、コア４１０ａと、コア４１０ａの一部表面のみに形成された反射層４１０ｂとを備えることができる。
【０１０９】
ここで、反射層４１０ｂは、コア４１０ａの一部表面が露出するように、コア４１０ａの一部表面から突出形成することができる。
【０１１０】
場合に応じて、反射部４１０は、図９Ｄに示すように、複数の溝を有するコア４１０ａと、コア４１０ａの溝内に形成された反射層４１０ｂとを備えることができる。
【０１１１】
ここで、反射層４１０ｂは、コア４１０ａの一部表面が露出するように、コア４１０ａの溝内に挿入して形成することもできる。
【０１１２】
このように、反射層４１０ｂは、同一の反射率を有する１つの反射物質又は互いに異なる反射率を有する複数の反射物質からなり得る。
【０１１３】
そして、反射層４１０ｂは、コア４１０ａの表面から突出したり、又はコア４１０ａの表面内に挿入することもできる。
【０１１４】
図１０Ａ〜図１０Ｄは、反射部と支持部を結合する結合部材を示す図である。
【０１１５】
図１０Ａに示すように、反射構造物は反射部４１０及び支持部４２０を有するが、反射部４１０は、結合部材４２２によって支持部４２０の上部表面上に安定的に結合することができる。
【０１１６】
ここで、結合部材４２２は、支持部４２０の上部面に付着され、反射部４１０の下部面を支持する板状であってもよい。
【０１１７】
そして、図１０Ｂに示すように、結合部材４２２は、支持部４２０の上部面に付着され、反射部４１０の周囲を取り囲むリング状であってもよい。
【０１１８】
そして、図１０Ｃに示すように、結合部材４２２は、支持部４２０の上部面に付着され、反射部４１０の溝４１４内に挿入される突出形状であってもよい。
【０１１９】
そして、図１０Ｄに示すように、反射部４１０と支持部４２０は、結合部材４２２の代わりに接着剤４２４によって付着することもできる。
【０１２０】
図１１は、反射構造物の反射部と支持部の幅と高さを比較した図である。
【０１２１】
図１１に示すように、支持部４２０は、反射部４１０を安定的に支持するために、下部が上部より大きい厚さを有することができる。
【０１２２】
すなわち、支持部４２０の下部厚さｔ２は、支持部４２０の上部厚さｔ１より大きくなり得る。
【０１２３】
場合に応じて、支持部４２０の下部厚さｔ２と支持部４２０の上部厚さｔ１が互いに同一であってもよい。
【０１２４】
そして、支持部４２０の下部面の幅Ｗ２は、反射部４１０の上部面の幅Ｗ１より大きくなり得る。
【０１２５】
場合に応じて、支持部４２０の下部面の幅Ｗ２と反射部４１０の上部面の幅Ｗ１が互いに同一であってもよい。
【０１２６】
また、支持部４２０の高さＨ１は反射部４１０の高さＨ２より大きくなり得る。また、場合に応じて、支持部４２０の高さＨ１と反射部４１０の高さＨ２は互いに同一であってもよい。
【０１２７】
ここで、支持部４２０の高さは、反射部４１０が光源モジュールと同一線上に位置するように可変になり得る。
【０１２８】
反射部４１０を光源モジュールと同一線上に位置させる理由は、そうすると、反射部４１０と光源モジュールとの距離が最も近くなるので、光を効果的に反射させることができ、輝度を最大に補償できるためである。
【０１２９】
図１２は、１エッジタイプの第２のリフレクタに配置された反射構造物を示す図で、図１３は、２エッジタイプの第２のリフレクタに配置された反射構造物を示す図で、図１４及び図１５は、４エッジタイプの第２のリフレクタに配置された反射構造物を示す図である。
【０１３０】
図１２は、１エッジタイプの第２のリフレクタに配置された反射構造物を示す平面図であって、図１２に示すように、１エッジタイプの第２のリフレクタ３００の一側に光源モジュール１００を配置し、反射構造物４００は、第２のリフレクタ３００の一定領域上に配置することができる。
【０１３１】
そして、図１３は、２エッジタイプの第２のリフレクタに配置された反射構造物を示す平面図であって、図１３に示すように、２エッジタイプの第２のリフレクタ３００の両側に光源モジュール１００を配置し、第２のリフレクタ３００は光源モジュール１００に対応する第１の領域と第２の領域に分離し、反射構造物４００は、第２のリフレクタ３００の第１の領域と第２の領域に配置することができる。
【０１３２】
そして、図１４は、４エッジタイプの第２のリフレクタに配置された反射構造物を示す平面図であって、図１４に示すように、４エッジタイプの第２のリフレクタ３００の４側面に光源モジュール１００を配置し、第２のリフレクタ３００は第１の光源モジュール１００に対応する第１、第２、第３及び第４の領域に分離し、反射構造物４００は、第２のリフレクタ３００の第１、第２、第３及び第４の領域に配置することができる。
【０１３３】
そして、図１５は、４エッジタイプの第２のリフレクタに配置された反射構造物を示す平面図であって、図１５に示すように、４エッジタイプの第２のリフレクタ３００の４つのコーナー領域に光源モジュール１００を配置し、第２のリフレクタ３００は光源モジュール１００に対応する第１、第２、第３及び第４の領域に分離し、反射構造物４００は、第２のリフレクタ３００の第１、第２、第３及び第４の領域に配置することができる。
【０１３４】
また、本発明の一実施例に係るバックライトユニットは、第２のリフレクタから一定間隔だけ空間を置いて配置された光学部材をさらに備えることができ、第２のリフレクタと光学部材との間の空間にはエアガイドを形成することができる。
【０１３５】
図１６は、光学部材を備えるバックライトユニットを示す図である。
【０１３６】
図１６に示すように、光学部材６００は、第１のリフレクタ２００のオープン領域に配置し、上部表面に凹凸パターン６２０を有することができる。
【０１３７】
ここで、光学部材６００は、第１のリフレクタ２００のオープン領域を通して出射される光を拡散させるためのものであって、拡散効果を増加させるために、光学部材６００の上部表面に凹凸パターン６２０を形成することができる。
【０１３８】
すなわち、光学部材６００は多層に形成することができ、凹凸パターン６２０は最上層又はいずれか１つの層の表面に備えることができる。
【０１３９】
そして、凹凸パターン６２０は、光源モジュール１００に沿って配置されるストライプ状を有することができる。
【０１４０】
このとき、凹凸パターン６２０は、光学部材６００の表面に突出部を有し、突出部は、互いに対向する第１の面及び第２の面を含んで構成され、第１の面と第２の面との間の角は鈍角又は鋭角であり得る。
【０１４１】
場合に応じて、光学部材６００は、少なくとも１つのシートからなるが、拡散シート、プリズムシート、輝度強化シートなどを選択的に含むことができる。
【０１４２】
ここで、拡散シートは、光源から出射された光を拡散させ、プリズムシートは、拡散された光を発光領域にガイドし、輝度拡散シートは輝度を強化させる。
【０１４３】
一方、反射部４１０及び支持部４２０を含む反射構造物４００は、光学部材６００から第１の間隔ｄ１だけ離隔するように配置することができる。
【０１４４】
ここで、第１の間隔ｄ１は、第１のリフレクタ２００の厚さＴより大きくなり得る。
【０１４５】
反射構造物４００を光学部材６００から第１の間隔ｄ１だけ離隔して配置させる理由は、反射構造物４００が光学部材６００に近く配置されると、黒いラインのような暗部が発生し、輝度が低下するおそれがあるためである。
【０１４６】
したがって、反射構造物４００は、第１のリフレクタ２００から水平に延長される水平延長線と第２のリフレクタ３００との間に位置することができる。
【０１４７】
そして、反射構造物４００の反射部４１０は、光源モジュール１００の光源１１０と同一線上Ａ１に位置することができる。
【０１４８】
その理由は、そうすると、反射部４１０と光源モジュール１００の光源１１０との距離が最も近いので、反射部４１０は光を効果的に反射させることができ、輝度を最大に補償できるためである。
【０１４９】
このように、バックライトユニットは、第２のリフレクタ上に反射構造物をさらに配置することによって、輝度を向上させ、均一な輝度を提供することができる。
【０１５０】
図１７は、支持フレームによって支持される光学部材を示す図である。
【０１５１】
図１７に示すように、第１のリフレクタ２００の上部には、光学部材６００を支持するための支持フレーム５００をさらに形成することができる。
【０１５２】
そして、光学部材６００は、支持フレーム５００によって支持されることによって、第２のリフレクタ３００と光学部材６００との間の空間をさらに確保することができる。
【０１５３】
このように、支持フレーム５００によって、第２のリフレクタ３００と光学部材６００との間の空間がさらに確保されると、光を拡散させるための空間であるエアガイドを通して均一な輝度を得ることができる。
【０１５４】
ここで、支持フレーム５００の幅Ｗ２は、第１のリフレクタ２００の幅Ｗ１より小さいか又は同一であり得る。
【０１５５】
その理由は、支持フレーム５００による輝度領域の減少を防止するためである。
【０１５６】
そして、反射部４１０及び支持部４２０を含む反射構造物４００は、光学部材６００から第２の間隔ｄ２だけ離隔するように配置することができる。
【０１５７】
ここで、第２の間隔ｄ２は、第１のリフレクタ２００の厚さＴより大きくなり得る。
【０１５８】
このように、反射構造物４００と光学部材６００との間の間隔が大きいと、黒いラインのような暗部が表れないので、均一な輝度を提供することができる。
【０１５９】
そして、反射構造物４００の反射部４１０は、光源モジュール１００の光源１１０と同一線上Ａ１に位置することができる。
【０１６０】
その理由は、そうすると、反射部４１０と光源モジュール１００の光源１１０との距離が最も近いので、反射部４１０は光を効果的に反射させることができ、輝度を最大に補償できるためである。
【０１６１】
このように、バックライトユニットは、第２のリフレクタ上に反射構造物をさらに配置することによって、輝度を向上させ、均一な輝度を提供することができる。
【０１６２】
このように、各実施例は、導光板を使用せずに、反射構造物が配置されたエアガイド用リフレクタを形成することによって、重さが軽く、製作単価が低廉であり、均一な輝度を提供することができる。
【０１６３】
したがって、バックライトユニットの経済性及び信頼性を向上させることができる。
【０１６４】
図１８は、実施例に係るバックライトユニットを有するディスプレイモジュールを示す図である。
【０１６５】
図１８に示すように、ディスプレイモジュール２０は、ディスプレイパネル８００及びバックライトユニット７００を備えることができる。
【０１６６】
ディスプレイパネル８００は、互いに対向して均一なセルギャップが維持されるように合着されたカラーフィルター基板８１０とＴＦＴ（Ｔｈｉｎ  Ｆｉｌｍ  Ｔｒａｎｓｉｓｔｏｒ）基板８２０を含み、前記二つの基板８１０、８２０の間に液晶層（図示せず）が介在し得る。
【０１６７】
そして、ディスプレイパネル８００の上側及び下側にはそれぞれ上部偏光板８３０及び下部偏光板８４０を配置することができ、より詳細には、カラーフィルター基板８１０の上面に上部偏光板８３０を配置し、ＴＦＴ基板８２０の下面に下部偏光板８４０を配置することができる。
【０１６８】
図面に図示していないが、ディスプレイパネル８００の側面には、パネル８００を駆動させるための駆動信号を生成するゲート及びデータ駆動部を備えることができる。
【０１６９】
図１９及び図２０は、本発明の一実施例に係るディスプレイ装置を示す図である。
【０１７０】
図１９を参照すると、ディスプレイ装置１は、ディスプレイモジュール２０と、ディスプレイモジュール２０を取り囲むフロントカバー３０及びバックカバー３５と、バックカバー３５に備えられた駆動部５５と、駆動部５５を取り囲む駆動部カバー４０とを備えて構成することができる。
【０１７１】
フロントカバー３０は、光を透過させる透明な材質の前面パネル（図示せず）を備えることができ、前面パネルは、一定の間隔を置いてディスプレイモジュール２０を保護し、ディスプレイモジュール２０から放出される光を透過させ、ディスプレイモジュール２０で表示される映像が外部で見えるようにする。
【０１７２】
バックカバー３５は、フロントカバー３０と結合してディスプレイモジュール２０を保護することができる。
【０１７３】
バックカバー３５の一面には駆動部５５を配置することができる。
【０１７４】
駆動部５５は、駆動制御部５５ａ、メインボード５５ｂ及び電源供給部５５ｃを備えることができる。
【０１７５】
駆動制御部５５ａは、タイミングコントローラーとして、ディスプレイモジュール２０の各ドライバーＩＣの動作タイミングを調節する駆動部であって、メインボード５５ｂは、タイミングコントローラーにＶシンク、Ｈシンク及びＲ、Ｇ、Ｂ解像度信号を伝達する駆動部であって、電源供給部５５ｃは、ディスプレイモジュール２０に電源を印加する駆動部である。
【０１７６】
駆動部５５は、バックカバー３５に備えられ、駆動部カバー４０によって取り囲むことができる。
【０１７７】
バックカバー３５は、複数のホールを備えており、これらホールによってディスプレイモジュール２０と駆動部５５を連結することができ、ディスプレイ装置１を支持するスタンド６０を備えることができる。
【０１７８】
一方、図２０に示すように、駆動部５５の駆動制御部５５ａはバックカバー３５に備え、メインボード５５ｂと電源ボード５５ｃはスタンド６０に備えることもできる。
【０１７９】
そして、駆動部カバー４０は、バックカバー３５に備えられた駆動部５５のみを取り囲むことができる。
【０１８０】
本発明の一実施例では、メインボード５５ｂと電源ボード５５ｃをそれぞれ別途に構成したが、これに限定されることはなく、メインボード５５０ｂと電源ボード５５０ｃを一つの統合ボードで構成することもできる。
【０１８１】
更に他の実施例は、上述した各実施例に記載された第１及び第２のリフレクタ及び光源モジュールを備える表示装置、指示装置、照明システムで具現することができ、例えば、照明システムはランプ、街路灯を含むことができる。
【０１８２】
このような照明システムは、複数のＬＥＤを集束して光を得る照明灯として使用可能なものであって、特に、建物の天井や壁体内に埋め込まれ、シェードの開口部側が露出するように装着できるようにする埋込灯（ダウンライト）として用いることができる。
【０１８３】
このように、各実施例は、導光板を使用せずに、反射構造物が配置されたエアガイド用リフレクタを形成することによって、重さが軽く、製作単価が低廉であり、均一な輝度を提供することができる。
【０１８４】
したがって、バックライトユニットの経済性及び信頼性を向上させることができる。
【符号の説明】
【０１８５】
１００  光源モジュール
１１０  光源
１２０  基板
２００  第１のリフレクタ
３００  第２のリフレクタ
４００  反射構造物
４１０  反射部
４２０  支持部
【図１Ａ】
2013026211.tif 000003
【図１Ｂ】
2013026211.tif 000004
【図１Ｃ】
2013026211.tif 000005
【図２Ａ】
2013026211.tif 000006
【図２Ｂ】
2013026211.tif 000007
【図２Ｃ】
2013026211.tif 000008
【図３Ａ】
2013026211.tif 000009
【図３Ｂ】
2013026211.tif 000010
【図３Ｃ】
2013026211.tif 000011
【図４Ａ】
2013026211.tif 000012
【図４Ｂ】
2013026211.tif 000013
【図５Ａ】
2013026211.tif 000014
【図５Ｂ】
2013026211.tif 000015
【図６Ａ】
2013026211.tif 000016
【図６Ｂ】
2013026211.tif 000017
【図６Ｃ】
2013026211.tif 000018
【図６Ｄ】
2013026211.tif 000019
【図６Ｅ】
2013026211.tif 000020
【図６Ｆ】
2013026211.tif 000021
【図７Ａ】
2013026211.tif 000022
【図７Ｂ】
2013026211.tif 000023
【図８Ａ】
2013026211.tif 000024
【図８Ｂ】
2013026211.tif 000025
【図９Ａ】
2013026211.tif 000026
【図９Ｂ】
2013026211.tif 000027
【図９Ｃ】
2013026211.tif 000028
【図９Ｄ】
2013026211.tif 000029
【図１０Ａ】
2013026211.tif 000030
【図１０Ｂ】
2013026211.tif 000031
【図１０Ｃ】
2013026211.tif 000032
【図１０Ｄ】
2013026211.tif 000033
【図１１】
2013026211.tif 000034
【図１２】
2013026211.tif 000035
【図１３】
2013026211.tif 000036
【図１４】
2013026211.tif 000037
【図１５】
2013026211.tif 000038
【図１６】
2013026211.tif 000039
【図１７】
2013026211.tif 000040
【図１８】
2013026211.tif 000041
【図１９】
2013026211.tif 000042
【図２０】
2013026211.tif 000043